(57)【特許請求の範囲】
【請求項１】
物体側からの光の透過作用を有する第１面、光の内部反射と透過作用を有する第２面及び光の反射作用を有する第３面の３つの光学面を有し、そのうちの少なくとも反射作用を有する光学面がレンズ機能を兼ね備えた自由曲面プリズムと、この自由曲面プリズムの複数個を、その入射面につきそれぞれ異なる視野へ向けて固定保持したフレームと、このフレームそのものを載置するとともに各自由曲面プリズムより出射された光を撮影視野として並列に結像させる単一の撮像素子を備えたホルダと、該自由曲面プリズムの入射面に対応させて開口する窓孔を有し、該ホルダに固着させて該フレームを自由曲面プリズムとともにその内側に収納するカバー体からなることを特徴とする撮影光学ユニット。
【請求項２】
前記自由曲面プリズムは、Ｙ-Ｚ面内における第１面が負の屈折力を有し、第２面及び第３面が正の屈折力を有する、請求項１記載の撮影光学ユニット。
【請求項３】
前記自由曲面プリズムは、前方視野を基準にして入射面を右側視野及び左側視野へそれぞれ指向させて並列に配置した２つの光学素子からなる、請求項１又は２記載の撮影光学ユニット。
【請求項４】
前記自由曲面プリズムは、前方視野を基準にして入射面を右側視野又は左側視野の何れか一方に指向させた第１の光学素子と、この第１の光学素子と並列に配置した第２の光学素子の２つからなり、
該第２の光学素子は、入射面を前方視野に指向させた前段プリズムを備える請求項１又は２記載の撮影光学ユニット。
【請求項５】
前記前段プリズムの入射面に、Ｌ型形状をなす固定絞りを配置し、第２の光学素子との相互間に縦長の楕円形状になる固定絞りを配置し、
該前段プリズムは、第２の光学素子の第１面よりも入射面を高くした上方配置になる請求項３に記載の撮影光学ユニット。
【請求項６】
前記自由曲面プリズムは、前方視野を基準にして入射面を右側視野及び左側視野にそれぞれ指向させて並列に配置した第１の光学素子及び第２の光学素子と、該第１の光学素子及び第２の光学素子の何れか一方の入射面と同じ向きに入射面を指向させて並列に配置した第３の光学素子からなり、
該第３の光学素子は、入射面を前方視野に指向させた前段プリズムを有する請求項１又は２記載の撮影光学ユニット。
【請求項７】
前記前段プリズムの入射面にＬ型形状をなす固定絞りを設け、第３の光学素子との相互間に縦長の楕円形状になる固定絞りを設け、
該前段プリズムは、第３の光学素子の第１面よりも入射面を高くした上方配置になる請求項６記載の撮影光学ユニット。
【発明の詳細な説明】
【技術分野】
【０００１】
本発明は、前後、左右、上下等複数の視野を広画角に、しかも同時に撮影するのに適した撮影光学ユニットに関するものであり、該撮影光学ユニットの構造の簡素化により効率的で精度の高い組み立てを実現するとともにそのコンパクト化を図ろうとするものである。
【背景技術】
【０００２】
従来の撮影光学ユニットとしては、撮像レンズの前方に複数のプリズムを配置しこのプリズムより入射された光を結像レンズに通して単一撮像素子の撮像面で結像させることによって複数の視野を同時に映し出す構造の車載カメラが知られている（例えば、特許文献１参照）。
【特許文献１】特開２００４−３４１５０９号公報
【０００３】
ところで、従来のこの種の撮影光学ユニットは、プリズムと撮像素子との間に配される撮像レンズが複合レンズとして構成されており、ホルダ内に内包されて１つのレンズに組み立てられているため該プリズムの入射位置と撮像素子の受光面との位置がその構造上短縮するのが困難で撮像光学ユニットそのもののサイズの小型化が困難であり、また、該プリズムは、その構造上、撮像レンズの前面に設置されるワイドレンズに固定せざるを得ず該ワイドレンズにプリズムの重さが加わることから、光学的な精度を保証することが極めて難しくコストの上昇も避けられない状況にあった。
【発明の開示】
【発明が解決しようとする課題】
【０００４】
本発明の課題は、構造の簡素化により精度の高い組み立てを効率的に行うことが可能で、広画角に、しかも、異なる複数の画像を単一の撮像素子で同時に撮影できるコンパクトな撮影光学ユニットを提案するところにある。
【課題を解決するための手段】
【０００５】
本発明は、上記の課題を解決するためになされたものであり、物体側からの光の透過作用を有する第１面、光の内部反射と透過作用を有する第２面及び光の反射作用を有する第３面の３つの光学面を有し、そのうちの少なくとも反射作用を有する光学面がレンズ機能を兼ね備えた自由曲面プリズムと、この自由曲面プリズムの複数個を、その第１面につきそれぞれ異なる視野へ向けて固定保持したフレームと、このフレームそのものを載置するとともに各自由曲面プリズムより出射された光を撮影視野として並列に結像させる単一の撮像素子を配設したホルダと、該自由曲面プリズムの各第１面に対応させて開口する窓孔を有し、該ホルダに固着させてフレームを自由曲面プリズムとともにその内側に収納するカバー体とを組み合わせるところに特徴を有する。
【０００６】
上記の構成なる撮影光学ユニットにおいて、自由曲面プリズムは、Ｙ-Ｚ面内における第１面が負の屈折力を有し、第２面及び第３面が正の屈折力を有するものを適用するのが望ましい。また、前記自由曲面プリズムは前方視野を基準にして入射面を右側視野及び左側視野へそれぞれ指向させて並列に配置した２つの光学素子にて構成することができる。
【０００７】
また、自由曲面プリズムは、前方視野を基準にして入射面を右側視野又は左側視野の何れか一方に指向させた第１の光学素子と、この第１の光学素子と並列に配置した第２の光学素子の２つにて構成し、そのうち第２の光学素子については、入射面を前方に指向させた前段プリズムを設ける。
【０００８】
上記の前段プリズムは、その入射面に、Ｌ型形状をなす絞りを配置し、第２の光学素子との相互間に縦長の楕円形状になる固定絞りを配置するのが望ましく、第２のプリズム光学素子の入射面よりも入射面を高くした上方配置とする。
【０００９】
さらに、自由曲面プリズムは、前方視野を基準にして入射面を右側視野及び左側視野にそれぞれ指向させて並列配置した第１の光学素子及び第２の光学素子と、該第１の光学素子及び第２の光学素子の何れか一方の入射面と同じ向きに入射面を指向させて並列に配置した第３の光学素子にて構成し、第３の光学素子に、入射面を前方視野に指向させた前段プリズムを配置する。
【００１０】
この場合、前段プリズムの入射面にはＬ型形状をなす固定絞りを設け、第３の光学素子との相互間に縦長の楕円形状になる固定絞りを設け、該前段プリズムの入射面が、第３の光学素子の入社面よりも高くなる上方配置とする。
【００１１】
本発明を構成するのに不可欠な自由曲面プリズムとは、回転対称でない自由形状のレンズ面とプリズムを融合させてレンズ作用をもたせた光学素子をいう。より具体的には、対象視野（物体側）から、光の透過作用を有する第１面、光の内部反射と透過作用を有する第１面及び光の反射作用を有する第３面の３つの光学面を有し、屈折率が１.３倍よりも大きい媒質にて構成され、何れの光学面もＹ-Ｚ面（Ｙ-Ｚ面：物体の中心を出て絞りの中心を通り撮像素子の像面中心に至る光を軸上主光線（光の進行方向を正とした光軸）をいう）とした場合において絞りの中心を原点として該軸上主光線に沿って進む方向をＺ軸（正方向）とし、このＺ軸に直交する向きの軸をＹ軸とした場合において軸上主光線と像面中心を含む平面をいう）を唯一の対称面とする自由曲面からなり、光束にパワーを与えかつ偏心により発生する収差を補正する回転非対称な面形状を有するように構成され、かつ、３面の中の第１面、第３面が回転非対称面になっているものをいう（特願2007-96175号明細書参照）。
【００１２】
また、前段プリズムとは、上記プリズム光学素子の入射面の前側に配置されるプリズムを意味するものであって、三角柱状プリズムや台形状プリズム等が適用される。
【発明の効果】
【００１３】
光学素子として、光の透過作用を有する第１面、光の内部反射と透過作用を有する第２面及び光の反射作用を有する第３面の３つの光学面を有し、そのうちの反射作用を有する光学面がレンズ機能を兼ね備えた自由曲面プリズムを用いると、その出射面の直近に撮像素子を配置することが可能となり、部品点数が少なくてすみ、簡易な構造のもとで複数視野を単一の撮像素子に同時に結像させることができる。また、該自由曲面プリズムは画角を広くとっても周辺の解像力が高く歪が小さい利点がある。
【００１４】
とくに、Ｙ-Ｚ面内にける第１面が負の屈折力を有し、第２面及び第３面を正の屈折力を有していると、物体側から第１面が負レンズ、第２面と第３面が正レンズとなるレトロフォーカスの配置となるため、バックフォーカスを長くすることが可能となり、撮像素子と光学素子の出射面との距離を確保することができるため、ローパスフィルター等の光学部材を配置する際に有利となる。
【００１５】
複数の自由曲面プリズムをフレームに形成した区画凹所にそれぞれ組み入れ、このフレームを、撮像素子（放熱板、基板を含む）を配設したホルダの上に載置、固定する一方で各自由曲面プリズムの入射面において開口する窓孔を形成したカバー体をホルダに合致させてその内側に該自由曲面プリズムをフレームとともに収納することにより撮像光学ユニットの偏平化、ひいてはコンパクト化が可能となる。
【００１６】
自由曲面プリズムとして、その第１面を、前方視野を基準にして左右両側の視野へ向けるべく、それぞれ正反対に指向させて並列に反転配置（１８０°向きが異なる場合）した２つの光学素子を用いて撮影光学ユニットを構成するものにあっては、左右２方向の視野を同時に撮影することが可能となる。また、これに加えてさらに前段プリズムを適宜組み合わせることで左右２方向の視野のみならず左側と前方（２方向）あるいは右側と前方（２方向）、左右と前方（３方向）等の視野の撮影が可能となる（組合せによっては後方や上下を含め全方位の撮影が可能）。
【発明を実施するための最良の形態】
【００１７】
以下、図面を用いて本発明をより具体的に説明する。
図１、２は本発明にしたがう撮影光学ユニットの実施の形態を示した外観斜視図であり、図３Ａ、図３Ｂは図１、２に示した撮影光学ユニットの分解状態を示した図、図４〜６図１におけるＡ-Ａ断面、Ｂ-Ｂ断面、Ｃ-Ｃ断面を示した図である。
【００１８】
図における符号１は複数個の自由曲面プリズムを組み入れるフレームである（図３参照）。このフレーム１には長手方向の中央部分に天面壁１ａから底面壁１ｂに向けて矩形状に開口する貫通孔ｈが形成されており、天面壁１ａ、底面壁１ｂの両側に位置する傾斜側壁１ｃ、１ｄには該貫通孔ｈに連通するように切り欠かれた区画凹所ｅ１〜ｅ３が設けられている。そして該区画凹所ｅ１〜ｅ３の底部の対向位置には２つで１組になる座部ｔ１〜ｔ６（ｔ１、ｔ２で１組、ｔ３、ｔ４で１組、ｔ５、ｔ６で１組になる） が形成されている（図７、８参照）。
【００１９】
また、２は該フレーム１を載置するホルダ、３はホルダ２に固着（ボルトによる連結等）させて自由曲面プリズムをフレーム１とともに内側に収納するカバー体である。カバー体３には自由曲面プリズムの第１面（入射面）において開口する窓孔３a〜３cが設けられており、フレーム１とはねじや接着によって着脱自在に固定される。カバー体３の窓孔３a〜３cには異物の侵入を防止するためカバーガラス等が適宜設けられ、窓孔の開放角度は自由曲面プリズムの性能（撮影できる視野の範囲）や絞りに応じて設定される。
【００２０】
また、４は右側視野を真横（カバー体３に形成された凹部３cの外表面）から前方に向けて角度θ１：６０°の範囲で撮影を可能とした自由曲面プリズム（第１の光学素子という）である（図３、図４参照）。
【００２１】
第１の光学素子４は図９にその形状を具体的に示すように、光の透過作用を有する第１面（入射面）４ａ、光の内部反射と透過作用を有する第２面（出射面であり貫通孔ｈの底面壁１ｂの出側に位置する）４ｂ及び光の反射作用を有する第３面４ｃの３つの光学面を有し、そのうちの第２面４ｂ、第３面４ｃがレンズ機能を兼ね備えており、該第２面４ｂの両側の端部にはフレーム１の座部ｔ１〜ｔ６に適合して簡単かつ正確に位置決め配置することができる段差ｋ１、ｋ２が形成されている。
【００２２】
ここに第１の光学素子４は屈折率が１．３よりも大きな媒質で形成され、固定絞りを通して入射された対象視野からの光は、第１面４ａを透過して媒質内部に入り、第２面４ｂで全反射されたのち第３面４ｃにて反射され、さらに再度、第２面４ｂを透過して出射される。
【００２３】
５は第１の光学素子４と同様の自由曲面プリズム（これを以下、第２の光学素子という。外観形状は自由曲面プリズム４と同じ）である（図３、図５参照）。この第２の光学素子５は入射面である第１面５ａを第１の光学素子４とは正反対に指向させて貫通孔ｈに並列に配置されるものであり、左側の視野を真横から前方に向かって角度θ２：６０°の範囲で撮影することが可能になっている。ここに正反転に配置するとは、具体的に図３Ａあるいは図７に示したように、第１の光学素子４に対し撮像素子へ向かう軸上主光線の周りで１８０°回転させて相互に平行となる配置をいう。
【００２４】
また、６は第１の光学素子４、第２の光学素子５と同様の構成になる自由曲面プリズム（以下、第３の光学素子という）である（図３参照）。この第３の光学素子６は第２の光学素子５とは入射面である第１面６ａの向きを正反対に指向させて貫通孔ｈに並列に配置されるものであり（図３、図７参照）、その第１面６ａの入側には三角柱状あるいは台形状等にて形成された前段プリズム７が配置されている（図１〜３参照）。この前段プリズム７はその外観を図１０に示すように、ゴーストの発生や色むらの防止を図るために入射面７ａ、出射面７ｂにＡＲコート処理（SiO＋SiO２の皮膜）が施され、また、反射面７ｃにＡｌコート処理（SiO２＋Al＋SiO２の皮膜）が適宜施され、その側面には光の反射、入射を防止するため黒色塗料が塗布（あるいは砂目状に粗されている）されている。この前段プリズム７は撮影しようとする視野の光をより多く取り入れるため第３の光学素子６の厚さＷよりも厚い厚Ｗ１を有し（図９、図１０参照）、第３の光学素子６の第１面６ａよりも入射面７ａが高いところに存在する上方配置になっている。
【００２５】
前段プリズム７より入射された光は反射面７ｃを経てその出射面７ｂより出射されたのち、第３の光学素子６を経て撮像素子において結像され、ここに、該第３の光学素子６は真正面を基準に右側、左側へそれぞれ３０°、合計で角度θ３：６０°の範囲における視野（前方視野）の撮影を可能としている。
【００２６】
各光学素子４〜６はフレーム１の座部ｔ１〜ｔ６  において嵌合あるいは接着により固定されるが、下記において説明する如き弾性舌片を用いて固定することも可能（嵌合や接着剤による固定と弾性舌片８による固定を併用してもよい）であり、何れにおいてもフレーム１への組込みに際しては各光学素子４〜６の段差ｋ１、ｋ２がフレーム１の座部ｔ１〜ｔ６に適合することになるので簡単な動作のもとで正確な位置決めが行える。
【００２７】
光学素子４〜６をフレーム１の区画凹所ｅ１〜ｅ３に組み入れるに際して、各光学素子４〜６の相互間に隙間が形成されるような場合にはその隙間に対応した厚さを有するスペーサを適宜配置するのが好ましく、これによりがたつきのない安定した配置が可能となる。また、光学素子４〜６の各側壁に凹部とこの凹部に嵌り込む凸部を適宜設け、各光学素子４〜６を相互に連接した状態で貫通孔ｈの座部ｔ１〜ｔ６に配置することも可能であり、この場合、迅速で正確な組込みが行える。
【００２８】
第１の光学素子４、第２の光学素子５、第３の光学素子６の光学面４ａ〜４ｃ、５ａ〜５ｃ、６ａ〜６ｃ（第１面、第２面及び第３面）のうち光学面４ｂ、５ｂ、６ｂにはゴーストの発生や色むらの防止を図るために図９において示す如きコート分岐線Ｌを境に領域Ｃ１においてＡＲコート処理（SiO＋SiO２の皮膜）が施され、領域Ｃ  ２においてＡｌコート処理（SiO２＋Al＋SiO２の皮膜）が適宜施されており（光学面４ｃ、５ｃ、６ｃはＡｌコート処理）、光学面を除いた側面には、その部位からの余計な光の入射あるいは反射を防止するため艶消し処理（黒色塗料の塗布、砂目状に粗らす等）が施されている。
【００２９】
さらに、図における８（８ａ〜８ｃ）はフレーム１の天面壁１ａにねじ止めあるいは接着により設けられ、第１〜３の光学素子４〜６の上端に弾性接触してフレーム１に強固に固定保持する弾性舌片である（図３〜６参照）。この弾性舌片８は片持ち支持になる板ばね等を例として示してあり、その先端にはシリコンゴムの如き緩衝部材９（９ａ〜９ｃ）が設けられている。
【００３０】
１０は前段プリズム７の入射面７ａに配置されたＬ型形状をなす固定絞り、１１は固定絞り１０を前段プリズム７とともにホルダ２に固定保持する係止部材、１２〜１４はフレーム１の傾斜側壁１ｃ、１ｄに沿って配置された固定絞りである。この固定絞り１２〜１４は第１〜３の光学素子４〜６においてそれぞれ６０°の視野を確保するため縦長で楕円形状の開口が形成されている。
【００３１】
ホルダ２の上には上記の如く第１〜３の光学素子４〜６が組み込まれたフレーム１と、係止部材１１により固定された前段プリズム７が載置されることになり、前方６０°、左側、右側のそれぞれ６０°の視野を確保すべくカバー体３にはフレーム１の傾斜側壁１ｃ、１ｄに対応した側壁３ｄ、３ｅと、この側壁３ｄ、３ｅにつながる凹部３ｆ、３ｇが区画形成されており、このためカバー体３はＴ字型の膨出部が形成された外観形状を呈している（図１、２参照）。
【００３２】
さらに１５はホルダ３に設置された撮像素子（撮像素子１５はCCD素子が適用され、上端開放型のケースに入れられている）、１６は撮像素子１５と第１〜３の光学素子４〜６のそれぞれの第２面（出射面）４ｂ、５ｂ、６ｂとの相互間に配置されたフィルター（フレーム１で固定してもよいしホルダ３に固定してもよく、赤外線フィルターや光学ローパスフィルターが適用される）である（図３〜６参照）。
【００３３】
撮像素子１５の下側には基板（フレキシブルプリント基板等）１７を介して放熱板１８が設けられ、該撮像素子１５の上には保護板１９（ガラス等）が設けられている。基板１７、放熱板１８、保護板１９は撮像素子１５とともにホルダ２の貫通開口２ａにおいてフレーム１の貫通孔ｈに対応するよう配置されている（パッケージ化されている）。撮像素子１５はシリコンシート等の絶縁部材を配置することにより基板１７、放熱板１８とは適宜絶縁処理がなされている。
【００３４】
フィルター１６と撮像素子１５との間（実際には撮像素子１５の最上面に位置する保護板１９との間）において埃等の侵入が懸念される場合には、図１１に示すように、その間に撮像素子１５を囲撓する形状を有するパッキンＰ（出射面から出射される光以外の光の入射を避けるためカーボン入りのシリコンゴムやウレタンゴムが適用される）を設けて両者を密着させる。
【００３５】
上記の構成になる撮影光学ユニットにおいては、第１の光学素子４を通して出射された光は右側６０°の視野として撮像素子１５において結像され、第２の光学素子５を通して出射された光は左側６０°の視野として撮像素子１５において並列に結像され、さらに、前段プリズム７及び第３の光学素子６を通して出射された光は前方６０°の視野として撮像素子１５において並列に結像されることとなり（単一の撮像素子１５において３つの視野が並列に結像される）、かかる構成になる撮影光学ユニットにおいては右側から左側（あるいは左側から右側）にわたる１８０°の範囲における撮影が可能となる。
【００３６】
本発明の実施の形態では、右側６０°、左側６０°、前方６０°の範囲における視野を結像させる撮影光学ユニットを例として説明したが、撮影可能な視野の範囲は使用する自由曲面プリズムそのものの性能や組合せによって適宜変更することができるものであり各自由曲面プリズムの視野が６０°の範囲に限定されるものではない。
【００３７】
また、第１の光学素子４と第２の光学素子５の２つのみで撮影光学ユニットを構成してもよいし、左側又は右側の何れか一方と、前方あるいは後方の何れか一方の視野を結像させるように光学素子を組み込んで撮影光学ユニットを構成することも可能であり、かかる構成では光学素子の設置個数が少なくて済む分、構造をより簡素化することができユニット自体のさらなる小型化が可能となる。
【００３８】
また、実施の形態に示した構成になる撮影光学ユニットを２組み背面合わせとした構成を採用（この場合３６０°の視野を撮像するこが可能）することはもちろん、さらに上下に組み込んだ構成を採用することもできる。
【００３９】
本発明にしたがう撮影光学ユニットはとくに車両に搭載して外部の視野を撮影するのに好適であるばかりでなく、車両の内部に設置して車両の内外を監視する監視カメラとしても有用であり、またカプセル型内視鏡等にも適用し得る。
【００４０】
第１〜３の光学素子４〜６としては、光の透過作用を有する第１面４ａ、５ａ、６ａ、光の内部反射と透過作用を有する第２面４ｂ、５ｂ、６ｂ及び光の反射作用を有する第３面４ｃ、５ｃ、６ｃの３つの光学面を有し、屈折率が１．３１倍より大きい媒質にて構成されており、何れの光学面もＹ−Ｚ面を唯一の対称面とする自由曲面からなり、光束にパワーを与えかつ偏心により発生する収差を補正する回転非対称な面形状を有するように構成され、かつ、３面の中の第１面、第３面が回転非対称面になっているものを適用することができる。ここに、Ｙ-Ｚ面とは図１２に示したような面（ここでは全てのプリズム光学素子の向きを同じにして表示してある）であり、第１〜３のプリズム光学素子４〜６を用いることで撮像レンズの如きは不要となり広画角で、高精彩な画像の撮影が可能となる。なお、図１２中ｌ１が軸上主光線であり、０が絞りの中心である。
【００４１】
本発明において適用する自由曲面プリズムでは、光の入射側から光線の通る順に、第１面４ａ〜６ａを透過し、第２面４ｂ〜６ｂ及び第３面４ｃ〜６ｃで内部反射し、さらに再び第２面４ｂ〜６ｂを透過して撮像素子１５に至ることになり、表１に示すように、第１面４ａ〜６ａは上掲図１２で表記したところのＸ-Ｚ面内では正の屈折力を有し、Ｙ-Ｚ面内では負の屈折力を有する。また、第２面４ｂ〜６ｂはＸ-Ｚ面内では負の屈折力を有し、Ｙ-Ｚ面内では正の屈折力を有し、さらに、第３面４ｃ〜６ｃではＸ-Ｚ、Ｙ-Ｚ面内ともに正の屈折力を有する。
【表１】
0005149053.tif 000002
【００４２】
図１３に各面内の屈折力を示すように、Ｙ-Ｚ面内では第１面４ａ〜６ａから出射面である第２面４ｂ〜６ｂまで、負、正、正、正であり、単純化すると入射側から負、正の屈折力の組合せとなるため、いわゆるレトロフォーカスの配置になっている。このためバックフォーカスを長くすることが可能となり、撮像素子１５と光学素子（自由曲面プリズム）との間の距離を確保することができ、さらにＩＲカットフィルター、光学的ローパスフィルター等の光学部材を配備するにも有利となる。
【００４３】
また、Ｘ-Ｚ面内においては、第１面４ａ〜６ａ、第２面４ｂ〜６ｂは正の屈折力と負の屈折力によってコマ収差の補正を行っており、第３面４ｃ〜６ｃが主な正の屈折力を有する反射面であり負の屈折力を有する第２面４ｂ〜６ｃ（この場合出射面）で像面をフラットにする作用を持つことになる。
【００４４】
さらに、このような光学面の配置によれば、軸外光線においては第３面４ｃ〜６ｃの正の屈折力で像面に対して内側に傾いた主光線を、第２面４ｂ〜６ｂ（この場合出射面）の負のパワーによって撮像面に対して略垂直な光線にしてＸ-Ｚ面内における像側テレセントリック条件を満たすことに寄与することになる。
【００４５】
左右両方向を同時に撮影可能とする本発明にしたがう撮影光学ユニットＵを、自動車のフロントグリルの中央部に取り付けて両サイド及び前方のモニターとして使用した例を図１４に示す。かかる使用例においては自動車の走行に際して両サイドにおける安全性がより高まる。
【産業上の利用可能性】
【００４６】
構造の簡素化により精度の高い組み立てを効率的に行うことが可能で、広画角に、しかも、異なる方向の画像を単一の撮像素子で同時に撮影できるコンパクトな撮影光学ユニットが提供できる。
【図面の簡単な説明】
【００４７】
【図１】本発明にしたがう撮影光学ユニットの実施の形態を示した図（外観斜視図）である。
【図２】図１に示した撮影光学ユニットの外観斜視図である。
【図３Ａ】図１、２に示した撮影光学ユニットの分解斜視図である。
【図３Ｂ】図１、２に示した撮影光学ユニットの分解斜視図であり、図３ＡのＩでつながる図である。
【図４】図１のＡ−ＡA断面図である。
【図５】図１のＢ−ＢB断面図である。
【図６】図１のＣ−ＣC断面図である。
【図７】フレームの外観斜視図である。
【図８】フレームの外観斜視図である。
【図９】プリズム光学素子の外観形状を示した図である。
【図１０】前段プリズムの外観形状を示した図である。
【図１１】フィルターと撮像素子の組合せ状態を示した図である。
【図１２】プリズム光学素子のＹ−Ｚ面を示した図である。
【図１３】（ａ）はＹ-Ｚ面内における各面の屈折力を示した図であり、（Ｂ）はＸ-Ｚ面内における各面の屈折力を示した図である。
【図１４】本発明にしたがう撮影光学ユニットを自動車のフロントグリルに装着して両サイドモニターとして使用した例を示した図である。
【符号の説明】
【００４８】
１    フレーム
１ａ  天面壁
１ｂ  底面壁
１ｃ  傾斜側壁
１ｄ  傾斜側壁
２    ホルダ
３    カバー体
３ａ〜３ｃ  窓孔
４    自由曲面プリズム
４ａ  第１面
４ｂ  第２面
４ｃ  第３面
５    自由曲面プリズム
５ａ  第１面
５ｂ  第２面
５ｃ  第３面
６    自由曲面プリズム
６ａ  第１面
６ｂ  第２面
６ｃ  第３面
７    前段プリズム
７ａ  入射面
７ｂ  出射面
８（８ａ〜８ｂ）  弾性舌片
９（９ａ〜９ｃ）  緩衝部材
１０  固定絞り
１１  係止部材
１２〜１４  固定絞り
１５  撮像素子
１６  フィルター
１７  基板
１８  放熱板
１９  保護板
ｅ    凹所
ｈ    貫通孔
ｔ１〜ｔ６  座部
ｋ１、ｋ２   段差
ｌ１   軸上主光線
０    絞りの中心
Ｌ    コート分岐線
【図１】
0005149053.tif 000003
【図２】
0005149053.tif 000004
【図３Ａ】
0005149053.tif 000005
【図３Ｂ】
0005149053.tif 000006
【図４】
0005149053.tif 000007
【図５】
0005149053.tif 000008
【図６】
0005149053.tif 000009
【図７】
0005149053.tif 000010
【図８】
0005149053.tif 000011
【図９】
0005149053.tif 000012
【図１０】
0005149053.tif 000013
【図１１】
0005149053.tif 000014
【図１２】
0005149053.tif 000015
【図１３】
0005149053.tif 000016
【図１４】
0005149053.tif 000017